(57)【要約】  エレベータのかごドア装置において、ブレード搭載かごドア（１２）には、戸当たり側ブレード（４６）の動きに連動して解錠位置と施錠位置との間で変位可能な施錠部材（４８）が設けられている。施錠部材（４８）には、案内部（４１）が設けられている。ブレード搭載かごドア（１２）の外部には、固定施錠子（４２）及び案内カム（４９）が設けられている。かごが適正な着床位置以外に位置するときに、ブレード搭載かごドア（１２）が開方向へ移動し、案内部（４１）が案内カム（４９）に沿って動き、施錠部材（４８）が施錠位置に変位し、施錠部材（４８）が固定施錠子（４２）に引っ掛かって、ブレード搭載かごドア（１２）の開方向への移動が阻止される。
2016059685.tif 000002
【特許請求の範囲】
【請求項１】
水平にスライドしてかご出入口を開閉するブレード搭載かごドア、
前記ブレード搭載かごドアに設けられており、かつ、解錠対応位置と、前記解錠対応位置よりも戸袋側の施錠対応位置との間で前記ブレード搭載かごドアに対して水平方向へ変位可能になっている戸当たり側ブレード、
前記ブレード搭載かごドアに設けられており、前記戸当たり側ブレードの動きに連動して解錠位置と施錠位置との間で変位可能な施錠部材、
前記ブレード搭載かごドアの外部に設けられており、前記施錠部材が前記施錠位置にあるときに前記施錠部材が引っ掛かることにより前記ブレード搭載かごドアの開方向への移動を阻止する固定施錠子、
前記ブレード搭載かごドアの外部に設けられている案内カム、及び
前記施錠部材に設けられている案内部
を備え、
前記戸当たり側ブレードは、前記施錠対応位置側への力を常時受けており、
前記ブレード搭載かごドアが全閉状態にあるとき、前記案内部が前記案内カムに接触することにより、前記施錠部材が前記解錠位置に保持されるとともに、前記戸当たり側ブレードが前記解錠対応位置に保持され、
かごが適正な着床位置に位置するときに、前記ブレード搭載かごドアが開方向へ移動すると、乗場ドアに設けられた乗場側係合部が当たって、前記戸当たり側ブレードの前記施錠対応位置への変位が阻止され、前記施錠部材の施錠位置への変位も阻止され、
前記かごが適正な着床位置以外に位置するときに、前記ブレード搭載かごドアが開方向へ移動し、前記案内部が前記案内カムに沿って動き、前記施錠部材が前記施錠位置に変位するとともに、前記戸当たり側ブレードが前記施錠対応位置に変位し、前記施錠部材が前記固定施錠子に引っ掛かって、前記ブレード搭載かごドアの開方向への移動が阻止されるエレベータのかごドア装置。
【請求項２】
前記ブレード搭載かごドアとは反対方向へ水平にスライドして前記かご出入口を開閉する案内カム搭載かごドアをさらに備え、
前記固定施錠子及び前記案内カムは、前記案内カム搭載かごドアに設けられている請求項１記載のエレベータのかごドア装置。
【請求項３】
前記固定施錠子及び前記案内カムは、前記かごの前記かご出入口の周囲の一部に設けられている請求項１記載のエレベータのかごドア装置。
【請求項４】
前記戸当たり側ブレードは、比重が鉄よりも小さい非鉄金属により構成されている請求項１から請求項３までのいずれか１項に記載のエレベータのかごドア装置。
【請求項５】
前記戸当たり側ブレードは、複数のリンクを介して前記ブレード搭載かごドアに取り付けられており、
前記リンクの１つが前記施錠部材を兼ねている請求項１から請求項４までのいずれか１項に記載のエレベータのかごドア装置。
【請求項６】
前記戸当たり側ブレードは、複数のリンクを介して前記ブレード搭載かごドアに取り付けられており、
前記施錠部材は、前記戸当たり側ブレードよりも上方に配置されており、
前記リンクのうちの１つと前記施錠部材とが連結部材を介して連結されている請求項１から請求項４までのいずれか１項に記載のエレベータのかごドア装置。
【発明の詳細な説明】
【技術分野】
【０００１】
この発明は、かごドアの開放防止機能を有するエレベータのかごドア装置に関するものである。
【背景技術】
【０００２】
従来のエレベータでは、かごが階床間に停止した場合に、かご内の乗客がかごドアをこじ開けて昇降路内に転落しないように、かごドアを施錠するかごドアロック装置がかごに設けられている。従来のかごドアロック装置では、乗場側に解錠用力ムが設置されており、解錠用力ムがある箇所にかごが着床した場合のみ機械的に解錠する（例えば、特許文献１参照）。
【先行技術文献】
【特許文献】
【０００３】
【特許文献１】特表２００８−５２８３９９号公報
【発明の概要】
【発明が解決しようとする課題】
【０００４】
上記のような従来のかごドアロック装置では、全ての階床に解錠用力ムを設置する必要があり、階床数が多い場合には、製造コストが高くなるとともに、据付負荷が大きくなる。【０００５】
この発明は、上記のような課題を解決するためになされたものであり、簡単な構成により、階床間でのかごドアの開放を防止することができるエレベータのかごドア装置を得ることを目的とする。
【課題を解決するための手段】
【０００６】
この発明に係るエレベータのかごドア装置は、水平にスライドしてかご出入口を開閉するブレード搭載かごドア、ブレード搭載かごドアに設けられており、かつ、解錠対応位置と、解錠対応位置よりも戸袋側の施錠対応位置との間でブレード搭載かごドアに対して水平方向へ変位可能になっている戸当たり側ブレード、ブレード搭載かごドアに設けられており、戸当たり側ブレードの動きに連動して解錠位置と施錠位置との間で変位可能な施錠部材、ブレード搭載かごドアの外部に設けられており、施錠部材が施錠位置にあるときに施錠部材が引っ掛かることによりブレード搭載かごドアの開方向への移動を阻止する固定施錠子、ブレード搭載かごドアの外部に設けられている案内カム、及び施錠部材に設けられている案内部を備え、戸当たり側ブレードは、施錠対応位置側への力を常時受けており、ブレード搭載かごドアが全閉状態にあるとき、案内部が案内カムに接触することにより、施錠部材が解錠位置に保持されるとともに、戸当たり側ブレードが解錠対応位置に保持され、かごが適正な着床位置に位置するときに、ブレード搭載かごドアが開方向へ移動すると、乗場ドアに設けられた乗場側係合部が当たって、戸当たり側ブレードの施錠対応位置への変位が阻止され、施錠部材の施錠位置への変位も阻止され、かごが適正な着床位置以外に位置するときに、ブレード搭載かごドアが開方向へ移動し、案内部が案内カムに沿って動き、施錠部材が施錠位置に変位するとともに、戸当たり側ブレードが施錠対応位置に変位し、施錠部材が固定施錠子に引っ掛かって、ブレード搭載かごドアの開方向への移動が阻止される。
【発明の効果】
【０００７】
この発明のエレベータのかごドア装置は、かごが適正な着床位置以外に位置するときに、ブレード搭載かごドアが開方向へ移動し、案内部が案内カムに沿って動き、施錠部材が施錠位置に変位するとともに、戸当たり側ブレードが施錠対応位置に変位し、施錠部材が固定施錠子に引っ掛かって、ブレード搭載かごドアの開方向への移動が阻止されるようになっているので、簡単な構成により、階床間でのかごドアの開放を防止することができる。
【図面の簡単な説明】
【０００８】
【図１】この発明の実施の形態１によるエレベータを示す概略の構成図である。
【図２】図１の乗場ドアを昇降路側から見た正面図である。
【図３】図１のかごドアを乗場側から見た正面図である。
【図４】図３のＩＶ−ＩＶ線に沿う断面図である。
【図５】図３のＶ−Ｖ線に沿う断面図である。
【図６】図３のかごドアが開方向へ少し移動した状態を示す正面図である。
【図７】図６のＶＩＩ−ＶＩＩ線に沿う断面図である。
【図８】図６のかごドアが開方向へさらに移動した状態を示す正面図である。
【図９】図８のＩＸ−ＩＸ線に沿う断面図である。
【図１０】図３のかごドアをドアゾーン外で開けようとした状態を示す正面図である。
【図１１】この発明の実施の形態２によるエレベータのかごドア装置を示す正面図である。
【発明を実施するための形態】
【０００９】
以下、この発明を実施するための形態について、図面を参照して説明する。
実施の形態１．
図１はこの発明の実施の形態１によるエレベータを示す概略の構成図である。図において、昇降路１の上部には、機械室２が設けられている。機械室２には、巻上機（駆動装置）３、そらせ車４、及びエレベータ制御装置（制御盤）５が設置されている。巻上機３は、駆動シーブ６と、駆動シーブ６を回転させる巻上機モータ（図示せず）と、駆動シーブ６の回転を制動する巻上機ブレーキ（図示せず）とを有している。
【００１０】
駆動シーブ６及びそらせ車４には、懸架体７が巻き掛けられている。懸架体７としては、複数本のロープ又は複数本のベルトが用いられている。懸架体７の第１の端部には、かご８が接続されている。懸架体７の第２の端部には、釣合おもり９が接続されている。
【００１１】
かご８及び釣合おもり９は、懸架体７により昇降路１内に吊り下げられており、巻上機３の駆動力により昇降路１内を昇降する。エレベータ制御装置５は、巻上機３を制御することにより、かご８の運行を制御する。
【００１２】
昇降路１内には、かご８の昇降を案内する一対のかごガイドレール（図示せず）と、釣合おもり９の昇降を案内する一対の釣合おもりガイドレール（図示せず）とが設置されている。
【００１３】
かご８は、懸架体７が接続されたかご枠１０と、かご枠１０に支持されたかご室１１とを有している。かご室１１の前面には、互いに反対方向へ水平にスライドすることによりかご出入口を開閉する一対のかごドア１２が設けられている。かご８上には、かごドア１２の開閉動作を制御するドアコントローラ１３が設けられている。
【００１４】
複数階の乗場には、互いに反対方向へ水平にスライドすることにより乗場出入口を開閉する一対の乗場ドア１４がそれぞれ設けられている。乗場ドア１４は、かご８の着床時にかごドア１２に連動して開閉動作する。
【００１５】
図２は図１の乗場ドア１４を昇降路１側から見た正面図である。乗場出入口上部には、乗場ドアフレーム１５が固定されている。乗場ドアフレーム１５には、乗場出入口の幅方向に平行な乗場ドアレール１６が設けられている。
【００１６】
乗場ドアフレーム１５の長手方向の第１の端部には、第１の乗場ドアプーリ１７が設けられている。乗場ドアフレーム１５の長手方向の第２の端部には、第２の乗場ドアプーリ１８が設けられている。第１及び第２の乗場ドアプーリ１７，１８には、無端状の連動ロープ１９が巻かれている。
【００１７】
各乗場ドア１４は、乗場ドアパネル２０と、乗場ドアパネル２０の上部に固定された乗場ドアハンガ２１とを有している。各乗場ドアハンガ２１には、乗場ドアレール１６上を転がりながら移動する複数の乗場ドアローラ２２が設けられている。各乗場ドア１４は、乗場ドアレール１６に吊り下げられており、乗場ドアレール１６に沿って開閉動作する。
【００１８】
一方の乗場ドア１４である第１の乗場ドア１４ａは、第１の乗場ドア連結金具２３を介して連動ロープ１９に接続されている。他方の乗場ドア１４である第２の乗場ドア１４ｂは、第２の乗場ドア連結金具２４を介して連動ロープ１９に接続されている。
【００１９】
第１の乗場ドア１４ａの開閉動作により連動ロープ１９が循環すると、第２の乗場ドア１４ｂは、第１の乗場ドア１４ａとは逆方向へ移動する。乗場ドア連動機構２５は、乗場ドアプーリ１７，１８、連動ロープ１９及び乗場ドア連結金具２３，２４を有しており、第１の乗場ドア１４ａの開閉動作に第２の乗場ドア１４ｂを連動させる。
【００２０】
第１の乗場ドア１４ａと乗場ドアフレーム１５との間には、かご８が着床していないときに乗場側から乗場ドア１４が開放されるのを防止するためのインターロック装置２６が設けられている。インターロック装置２６は、掛け金２７、インターロックラッチ２８、固定側インターロックローラ２９、及び可動側インターロックローラ３０を有している。実施の形態１の乗場側係合部は、インターロックローラ２９，３０である。
【００２１】
掛け金２７は、乗場ドアフレーム１５に固定されている。インターロックラッチ２８は、第１の乗場ドア１４ａの乗場ドアハンガ２１に回転可能に取り付けられている。乗場ドア１４が全閉状態のとき、インターロックラッチ２８の先端部が掛け金２７に引っ掛かることにより、乗場ドア１４の開方向への移動が阻止される。
【００２２】
固定側インターロックローラ２９は、インターロックラッチ２８の回転軸と同軸に配置されている。可動側インターロックローラ３０は、インターロックラッチ２８に取り付けられ、インターロックラッチ２８と一体に回転可能になっている。
【００２３】
図３は図１のかごドア１２を乗場側から見た正面図である。かご出入口上部には、かごドアフレーム３１が固定されている。かごドアフレーム３１には、かご出入口の幅方向に平行なかごドアレール３２が設けられている。
【００２４】
かごドアフレーム３１の長手方向の第１の端部には、駆動プーリ３３が設けられている。かごドアフレーム３１の長手方向の第２の端部には、従動プーリ３４が設けられている。駆動プーリ３３及び従動プーリ３４には、無端状のかごドア駆動ロープ３５が巻かれている。
【００２５】
各かごドア１２は、かごドアパネル３６と、かごドアパネル３６の上部に固定されたかごドアハンガ３７とを有している。各かごドア１２は、かごドアレール３２に吊り下げられており、かごドアレール３２に沿って開閉動作する。
【００２６】
一方のかごドア１２である第１のかごドア１２ａは、第１のかごドア連結金具３８を介してかごドア駆動ロープ３５に接続されている。他方のかごドア１２である第２のかごドア１２ｂは、第２のかごドア連結金具３９を介してかごドア駆動ロープ３５に接続されている。
【００２７】
かごドアフレーム３１上には、ドアモータ４０が固定されている。ドアモータ４０の回転は、駆動プーリ３３に伝達される。ドアモータ４０により駆動プーリ３３が回転すると、かごドア駆動ロープ３５が循環するとともに、従動プーリ３４が回転する。これにより、第１及び第２のかごドア１２ａ，１２ｂが開閉動作する。
【００２８】
第１のかごドア１２ａには、支持板４４が固定されている。支持板４４には、第１の平行リンク機構４５を介して断面Ｌ字形の戸当たり側ブレード４６が取り付けられている。即ち、実施の形態１のブレード搭載かごドアは、第１のかごドア１２ａである。戸当たり側ブレード４６は、鉛直に配置されている。第１の平行リンク機構４５は、棒状の第１の上部リンク４７と、Ｌ字形の第１の下部リンク４８とを有している。
【００２９】
第１の上部リンク４７の第１の端部（上端部）は、回転軸４７ａを中心として回転可能に支持板４４に取り付けられている。第１の上部リンク４７の第２の端部（下端部）は、戸当たり側ブレード４６の中間部に回転可能に連結されている。
【００３０】
第１の下部リンク４８の中間部は、回転軸４８ａを中心として回転可能に支持板４４に取り付けられている。第１の下部リンク４８の第１の端部は、戸当たり側ブレード４６の下端部に回転可能に連結されている。
【００３１】
第１の下部リンク４８の中間部から第２の端部までの部分は、戸当たり側ブレード４６と交差している。これにより、第１の下部リンク４８の第２の端部は、戸当たり側ブレード４６に対して回転軸４８ａとは反対側に突出している。
【００３２】
第１の下部リンク４８の第２の端部には、フック状の施錠部分４８ｂが設けられている。また、第１の下部リンク４８の戸当たり側ブレード４６と交差している部分と施錠部分４８ｂとの間には、案内ローラ４１が回転可能に取り付けられている。第１の下部リンク４８は、戸当たり側ブレード４６の動きに連動して解錠位置（図３）と施錠位置（図１０）との間で回転変位可能になっている。
【００３３】
第２のかごドア１２ｂには、固定施錠子４２及び案内カム４９が固定されている。即ち、実施の形態１では、固定施錠子４２及び案内カム４９は、ブレード搭載かごドアの外部である第２のかごドア１２ｂに固定されている。また、実施の形態１の案内カム搭載かごドアは、第２のかごドア１２ｂである。  
【００３４】
案内カム４９の上面には、水平な案内面が形成されている。かごドア１２が全閉状態にあるとき、案内ローラ４１は案内カム４９の案内面上に位置しており、施錠部分４８ｂは図３に示す解錠位置に位置している。
【００３５】
リンク４８に外力を与えずにかごドア１２を開こうとすると、図１０に示すように、案内ローラ４１が案内カム４９から離れ、施錠部分４８ｂが施錠位置に移動する。この状態では、施錠部分４８ｂが固定施錠子４２に引っ掛かり、かごドア１２の開方向への移動が阻止される。即ち、実施の形態１では、第１の下部リンク４８が施錠部材を兼ねている。
【００３６】
戸当たり側ブレード４６は、リンク４７，４８の回転により、解錠対応位置（図３）と、解錠対応位置よりも戸袋側の施錠対応位置（図１０）との間で第１のかごドア１２ａに対して水平方向（かごドア１２の開閉方向）へ変位可能になっている。
【００３７】
また、戸当たり側ブレード４６は、重力又はばね力の作用により、戸袋側、即ち施錠位対応置側への力を常時受けている。しかし、かごドア１２が全閉状態にあるときは、案内ローラ４１が案内カム４９上に位置していることにより、第１の下部リンク４８が解錠位置に保持されるとともに、戸当たり側ブレード４６が戸当たり側、即ち解錠対応位置側に保持されている。
【００３８】
支持板４４には、戸当たり側ブレード４６の戸当たり側への可動範囲を制限するストッパ５０が設けられている。ストッパ５０は、かごドア１２が全閉状態にあるとき、戸当たり側ブレード４６と間に多少の隙間が確保されるように配置されている。このため、戸当たり側ブレード４６をストッパ５０に接触させると、案内カム４９と案内ローラ４１との間に僅かな隙間が発生する。
【００３９】
支持板４４には、第２の平行リンク機構５２を介して断面Ｌ字形の戸袋側ブレード５３が取り付けられている。第２の平行リンク機構５２は、第２の上部リンク５４及び第２の下部リンク５５を有している。
【００４０】
第２の上部リンク５４の中間部は、回転軸５４ａを中心として回転可能に支持板４４に取り付けられている。第２の上部リンク５４の第１の端部は、戸袋側ブレード５３の中間部に回転可能に連結されている。
【００４１】
第２の下部リンク５５の第１の端部は、回転軸５５ａを中心として回転可能に支持板４４に取り付けられている。第２の下部リンク５５の第２の端部は、戸袋側ブレード５３の下端部に回転可能に連結されている。
【００４２】
戸袋側ブレード５３は、戸当たり側ブレード４６に平行、即ち鉛直に配置されている。また、戸袋側ブレード５３は、リンク５４，５５の回転により、水平方向（かごドア１２の開閉方向）へ変位可能になっている。
【００４３】
第１のかごドア１２ａの上部には、回転軸５６ａを中心に回転可能なレバー５６が設けられている。回転軸５６ａは、レバー５６の中間部に配置されている。レバー５６の第１の端部には、レバー用ローラ５７が設けられている。かごドアフレーム３１には、第１のかごドア１２ａが閉鎖位置にあるときにレバー用ローラ５７が当たるガイド部材５８が固定されている。
【００４４】
レバー５６の第２の端部と第２の上部リンク５４の第２の端部との間には、連結棒５９が連結されている。戸袋側ブレード５３は、重力又はばね力の作用により戸当たり側へ常時押されている。
【００４５】
第１のかごドア１２ａが閉鎖位置にあるときには、レバー用ローラ５７がガイド部材５８に当たっており、戸袋側ブレード５３はインターロックローラ２９，３０から離れている。
【００４６】
これに対して、第１のかごドア１２ａが開方向へ移動すると、レバー５６が図３の時計方向へ回転するとともに、戸袋側ブレード５３が戸当たり側ブレード４６側へ変位し、ブレード４６，５３の間隔が小さくなり、インターロックローラ２９，３０がブレード４６，５３間に把持される。
【００４７】
なお、戸袋側ブレード５３を水平方向へ変位可能とする構成は必須ではなく、戸袋側ブレード５３をかごドア１２に固定してもよい。
【００４８】
図４は図３のＩＶ−ＩＶ線に沿う断面図、図５は図３のＶ−Ｖ線に沿う断面図である。かご８が着床したとき、戸当たり側ブレード４６は、インターロックローラ２９，３０よりも戸当たり側に配置されており、戸袋側ブレード５３は、インターロックローラ２９，３０よりも戸袋側に配置されている。
【００４９】
また、インターロックローラ２９，３０は、真上から見て、かご敷居線（かご敷居の乗場側端面）Ｌ１と乗場敷居線（乗場敷居のかご側端面）Ｌ２との間に配置されている。さらに、リンク４７，４８，５４，５５、戸当たり側ブレード４６のリンク４７，４８との連結部、及び戸袋側ブレード５３のリンク５４，５５との連結部は、真上から見て、かご敷居線Ｌ１の内側（かご８側）に配置されている。
【００５０】
このような構成により、かご８が適正な着床位置に位置するときに、第１のかごドア１２ａが開方向へ移動すると、インターロックローラ２９，３０が当たって、戸当たり側ブレード４６の施錠対応位置への変位が阻止され、第１の下部リンク４８の施錠位置への変位も阻止される。
【００５１】
また、かご８が適正な着床位置以外に位置するときに、第１のかごドア１２ａが開方向へ移動し、案内ローラ４１が案内カム４９に沿って動き、案内カム４９から案内ローラ４１が離れ、第１の下部リンク４８が施錠位置に変位するとともに、戸当たり側ブレード４６が施錠対応位置に変位し、施錠部分４８ｂが固定施錠子４２に引っ掛かって、第１のかごドア１２ａの開方向への移動が阻止される。
【００５２】
次に、動作について説明する。かごドア１２が全閉位置にあるときは、図３及び図５に示すように、リンク４８に固定された案内ローラ４１が案内カム４９に当たっている。また、施錠部分４８ｂ及び戸当たり側ブレード４６は解錠側に位置している。さらに、戸当たり側ブレード４６及び戸袋側ブレード５３は、インターロックローラ２９，３０から離れている。
【００５３】
図６は図３のかごドア１２が開方向へ少し移動した状態を示す正面図、図７は図６のＶＩＩ−ＶＩＩ線に沿う断面図である。かごドア１２が開方向へ移動し始め、案内ローラ４１が案内カム４９の端部まで移動すると、第１のリンク４８が時計回りに回転し戸当たり側ブレード４６が戸袋方向へ動作しようとする。しかし、戸当たり側ブレード４６のローラ接触面（第１のかごドア１２ａの正面に直角な面）がインターロックローラ２９，３０と接触し、戸当たり側ブレード４６の戸袋方向への動作が阻害される。これにより、第１の下部リンク４８の施錠部分４８ｂが施錠位置まで動作することがない。また、インターロックラッチ２８が回転し、乗場ドア１４のインターロック装置２６も解錠状態になる。
【００５４】
図８は図６のかごドア１２が開方向へさらに移動した状態を示す正面図、図９は図８のＩＸ−ＩＸ線に沿う断面図である。かごドア１２が開方向へさらに移動すると、戸袋側ブレード５３が第１のかごドア１２ａに対して相対的に戸当たり方向に移動し、インターロックローラ２９，３０を介して、戸当たり側ブレード４６を戸当たり方向に動作させる。これにより、戸当たり側ブレード４６は、ストッパ５０に当たる。
【００５５】
第１の下部リンク４８は、図８の反時計回りに回転し、施錠部分４８ｂは、施錠位置からさらに離れた位置に位置することとなる。また、インターロックローラ２９，３０はブレード４６，５３間に把持されており、第１のかごドア１２ａと第１の乗場ドア１４ａとが一体に開動作する。また、第２のかごドア１２ｂ及び第２の乗場ドア１４ｂも同期して開動作する。
【００５６】
一方、何等かの異常によりかご８がドアゾーン外に停止した状態で、かご室１１内の乗客がかごドア１２をこじ開けようとした場合、図１０に示すように、戸当たり側ブレード４６にインターロックローラ２９，３０が当たらないため、戸当たり側ブレード４６の戸袋方向への動作は阻害されることがない。このため、案内ローラ４１が案内カム４９の端部まで移動すると、第１の下部リンク４８が図１０の時計回りに回転し、施錠部分４８ｂが施錠位置まで変位し、固定施錠子４２に引っ掛かり、かごドア１２の開方向への移動が阻止される。
【００５７】
このようなエレベータのかごドア装置では、戸当たり側ブレード４６の上下方向の範囲内にインターロックローラ２９，３０が無い場合にのみ戸開防止機能が働くので、乗場側に解錠用カムを別途用意することが不要である。従って、簡単な構成により、階床間でのかごドア１２の開放を防止することができる。
【００５８】
また、施錠部材である第１の下部リンク４８が第１のかごドア１２ａに設けられており、固定施錠子４２及び案内カム４９が第２のかごドア１２ｂに設けられているので、第１の下部リンク４８と案内カム４９との相対位置が戸開速度の２倍で変化する。このため、こじ開け可能な第１及び第２のかごドア１２ａ，１２ｂの間隙寸法が小さくなるように設計することが可能となる。
【００５９】
さらに、第１の下部リンク４８に施錠部分４８ｂを形成し、第１の下部リンク４８が施錠部材を兼ねるようにしたので、部品点数が少なくて済む。
さらにまた、施錠部分４８ｂ及び案内ローラ４１を戸当たり側ブレード４６よりも戸当たり側に配置したので、案内ローラ４１が案内カム４９に接する位置、及び施錠部分４８ｂが固定施錠子４２に引っ掛かる位置を容易に設計することができる。
【００６０】
実施の形態２．
次に、図１１はこの発明の実施の形態２によるエレベータのかごドア装置を示す正面図であり、実施の形態１の図３に相当する図である。実施の形態２では、第１の下部リンク４８が棒状であり、第１の下部リンク４８に施錠部分４８ｂが設けられていない。代わりに、第１のかごドア１２ａのかごドアハンガ３７に固定された第１のかごドア連結金具３８に、施錠部材としての施錠レバー６３が設けられている。
【００６１】
施錠レバー６３の中間部は、回転軸６３ａを中心として回転可能に第１のかごドア連結金具３８に取り付けられている。施錠レバー６３の第１の端部には、実施の形態１の施錠部分４８ｂと同様の施錠部分６３ｂが形成されている。また、施錠レバー６３の回転軸６３ａと施錠部分６３ｂとの間には、実施の形態１と同様の案内ローラ４１が回転可能に取り付けられている。
【００６２】
第２のかごドア１２ｂのかごドアハンガ３７には、実施の形態１と同様の案内カム４９が固定されている。案内カム４９には、固定施錠子４２が設けられている。かごドア１２が全閉状態にあるとき、案内ローラ４１は案内カム４９の案内面上に位置しており、施錠部分４８ｂは図１１に示す解錠位置に位置している。
【００６３】
第１の上部リンク４７の中間部は、回転軸４７ａを中心として回転可能に支持板４４に取り付けられている。第１の上部リンク４７の第１の端部（下端部）は、戸当たり側ブレード４６に回転可能に連結されている。第１の上部リンク４７の第２の端部は、連結部材としての連結棒６１を介して施錠レバー６３の第２の端部に連結されている。
【００６４】
施錠レバー６３の第２の端部は、回転軸６３ａよりも戸袋側に位置している。第１の上部リンク４７、連結棒６１及び施錠レバー６３により、平行リンクが構成されており、第１の上部リンク４７と施錠レバー６３とは常に同じ角度のまま回転するようになっている。施錠レバー６３は、戸当たり側ブレード４６の動きに連動して解錠位置と施錠位置との間で回転変位可能になっている。
【００６５】
リンク４７に外力を与えずにかごドア１２を開こうとすると、案内ローラ４１が案内カム４９から離れ、施錠部分６３ｂが施錠位置に移動する。この状態では、施錠部分６３ｂが固定施錠子４２に引っ掛かり、かごドア１２の開方向への移動が阻止される。他の構成及び動作は、実施の形態１と同様である。
【００６６】
このような構成によっても、簡単な構成により、階床間でのかごドア１２の開放を防止することができる。
【００６７】
また、かご室１１の天井が高い場合、かご室１１との干渉を回避するために、かご出入口に対してかごドア１２を縦長とし、かごドア開閉装置を上方に配する場合がある。このような場合、かご出入口に対して一定の位置に固定される戸当たり側ブレード４６とかごドア開閉装置との距離が離れることとなるが、その場合でも、連結棒６１の長さを変更するだけで対応が可能となる。
【００６８】
なお、このような装置では、かごドア１２の開動作による戸開方向の加速度により、戸当たり側ブレード４６に戸当たり方向の慣性力が発生する。この慣性力は、戸当たり側ブレード４６が重力及びばね力の作用により戸袋方向へ動作しようとする力を打ち消す働きをするため、施錠のための装置全体の動作を阻害する。
【００６９】
これに対して、戸当たり側ブレード４６を比重が鉄よりも小さい非鉄金属、例えばアルミニウム合金により構成することで、戸当たり側ブレード４６にかかる慣性力が仰制される。これにより、いたずら等によるこじ開け力及び衝撃に対して誤動作（正常ではない解錠動作）を発生しにくくすることができる。
【００７０】
また、上記の例では、中央開き式のかごドア装置を示したが、この発明は片開き式のかごドア装置にも適用できる。この場合、固定施錠子４２及び案内カム４９は、ブレード搭載かごドアの外部であるかご８のかご出入口の周囲の一部に設ければよい。
【００７１】
さらに、この発明が適用されるエレベータのタイプは、図１のタイプに限定されるものではない。例えば、機械室レスエレベータ、２：１ローピング方式のエレベータ、マルチカー方式のエレベータ、又はダブルデッキエレベータ等にも、この発明は適用できる。
【図１】
2016059685.tif 000003
【図２】
2016059685.tif 000004
【図３】
2016059685.tif 000005
【図４】
2016059685.tif 000006
【図５】
2016059685.tif 000007
【図６】
2016059685.tif 000008
【図７】
2016059685.tif 000009
【図８】
2016059685.tif 000010
【図９】
2016059685.tif 000011
【図１０】
2016059685.tif 000012
【図１１】
2016059685.tif 000013
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
水平にスライドしてかご出入口を開閉するブレード搭載かごドア、
前記ブレード搭載かごドアに設けられており、かつ、解錠対応位置と、前記解錠対応位置よりも戸袋側の施錠対応位置との間で前記ブレード搭載かごドアに対して水平方向へ変位可能になっている戸当たり側ブレード、
前記ブレード搭載かごドアに設けられており、前記戸当たり側ブレードの動きに連動して解錠位置と施錠位置との間で変位可能な施錠部材、
前記ブレード搭載かごドアの外部に設けられており、前記施錠部材が前記施錠位置にあるときに前記施錠部材が引っ掛かることにより前記ブレード搭載かごドアの開方向への移動を阻止する固定施錠子、
前記ブレード搭載かごドアの外部に設けられている案内カム、及び
前記施錠部材に設けられている案内部
を備え、
前記戸当たり側ブレードは、前記施錠対応位置側への力を常時受けており、
前記ブレード搭載かごドアが全閉状態にあるとき、前記案内部が前記案内カムに接触することにより、前記施錠部材が前記解錠位置に保持されるとともに、前記戸当たり側ブレードが前記解錠対応位置に保持され、
かごが適正な着床位置に位置するときに、前記ブレード搭載かごドアが開方向へ移動すると、乗場ドアに設けられたインターロック装置のインターロックローラに前記戸当たり側ブレードが当たって、前記戸当たり側ブレードの前記施錠対応位置への変位が阻止され、前記施錠部材の施錠位置への変位も阻止され、
前記かごが適正な着床位置以外に位置するときに、前記ブレード搭載かごドアが開方向へ移動し、前記案内部が前記案内カムに沿って動き、前記施錠部材が前記施錠位置に変位するとともに、前記戸当たり側ブレードが前記施錠対応位置に変位し、前記施錠部材が前記固定施錠子に引っ掛かって、前記ブレード搭載かごドアの開方向への移動が阻止されるエレベータのかごドア装置。
【請求項２】
前記ブレード搭載かごドアとは反対方向へ水平にスライドして前記かご出入口を開閉する案内カム搭載かごドアをさらに備え、
前記固定施錠子及び前記案内カムは、前記案内カム搭載かごドアに設けられている請求項１記載のエレベータのかごドア装置。
【請求項３】
前記固定施錠子及び前記案内カムは、前記かごの前記かご出入口の周囲の一部に設けられている請求項１記載のエレベータのかごドア装置。
【請求項４】
前記戸当たり側ブレードは、比重が鉄よりも小さい非鉄金属により構成されている請求項１から請求項３までのいずれか１項に記載のエレベータのかごドア装置。
【請求項５】
前記戸当たり側ブレードは、複数のリンクを介して前記ブレード搭載かごドアに取り付けられており、
前記リンクの１つが前記施錠部材を兼ねている請求項１から請求項４までのいずれか１項に記載のエレベータのかごドア装置。
【請求項６】
前記戸当たり側ブレードは、複数のリンクを介して前記ブレード搭載かごドアに取り付けられており、
前記施錠部材は、前記戸当たり側ブレードよりも上方に配置されており、
前記リンクのうちの１つと前記施錠部材とが連結部材を介して連結されている請求項１から請求項４までのいずれか１項に記載のエレベータのかごドア装置。
【国際調査報告】
2016059685.tif 000014
2016059685.tif 000015
2016059685.tif 000016
2016059685.tif 000017